【事件の表示】
　特願２００７−２４０９６８「液晶表示装置」拒絶査定不服審判事件〔平成２０年１１月２０日出願公開、特開２００８−２８１９８１〕について、次のとおり審決する。
【結　論】
　本件審判の請求は、成り立たない。
【理　由】
第１　手続の経緯
　本願は、平成１９年９月１８日（パリ条約による優先権主張２００７年５月１０日、大韓民国）の出願であって、平成２３年４月５日に手続補正がなされたが、同年９月１６日付けで拒絶査定がなされ、これに対して、同年１１月２２日に拒絶査定不服審判の請求がなされると同時に手続補正がなされたものである（以下、平成２３年１１月２２日になされた補正を「本件補正」という。）。
　
第２　本件補正についての補正却下の決定
［補正却下の決定の結論］
　本件補正を却下する。
　
［理由］
１　本件補正の内容
　本件補正は、本願特許請求の範囲の請求項１を
「【請求項１】
　第１パッドを備え、所定の映像を表示するための液晶表示パネルと、
　自身の側面から供給される光を自身の上側に位置される前記液晶表示パネルに供給するための導光板と、
　前記導光板が安着し、外側部に少なくとも一つのスリットホールを備えるボトムシャーシと、
　前記導光板の背面に位置され、前記第１パッドと接続される第２パッドおよび、前記スリットホールを経由して挿入され、前記導光板に前記光を供給する発光ダイオードを含む少なくとも一つ以上の固定部を備える可撓性印刷回路基板と、
　を有し、前記発光ダイオードを基準として前記固定部の下段部および上段部の高さが互いに異なるように設定され、
　前記可撓性印刷回路基板は、前記可撓性印刷回路基板の一端部に位置する前記第２パッドが前記液晶表示パネルの第１パッドに電気的に接続され、前記一端部から前記液晶表示パネル、前記導光板及び前記ボトムシャーシそれぞれの側面を覆って前記ボトムシャーシの背面に付着され、
　前記固定部は、前記可撓性印刷回路基板に直接的に形成され、前記固定部の下段部は、前記上段部より高い高さで設定され、   　
　前記固定部の下段部および上段部の高さは、前記発光ダイオードが前記導光板の厚さ方向中心部に位置されるように設定され
、
　
前記スリットホールは、前記導光板と重畳されないように形成され、
　
前記可撓性印刷回路基板には、少なくとも二以上の固定部が含まれ、前記ボトムシャーシには、前記固定部が挿入されるように少なくとも二以上の前記スリットホールが形成され
と補正することを含むものであって、特許法第１７条の２第５項第２号に規定する特許請求の範囲の減縮を目的とするものと認められるので、以下に、本件補正後の請求項１に係る発明（以下「本願補正発明」という。）について、独立特許要件の検討を行う。
　
２　刊行物の記載事項
　ア　原査定の拒絶の理由に引用された、本願の優先日前に頒布された刊行物である特開２００６−３５０３０１号公報（以下「引用刊行物」という。）には、次の記載がある（下線は、当審による。）。
　
「【０００１】
  本発明は液晶表示装置に関し、より詳細には、
点光源と導光板との間の段差を除去
「【００１７】
  図１は、本発明の一実施例による液晶表示装置を示す分解斜視図であり、図２は、図１に示した液晶表示装置の結合された断面を示す断面図である。
【００１８】
  図１及び図２を参照すると、本発明の一実施例による
液晶表示装置１００
導光板２００、ボトムシャーシ１２０、液晶表示パネル３００、フレキシブル回路基板１３０、及び点光源１４０を含む
【００１９】
  モールドフレーム１１０は、内部が開口された長方形形状を有する。モールドフレーム１１０は、プラスティック材質からなる。
【００２０】
  導光板２００は、モールドフレーム１１０の内部に配置される。
導光板２００は、点光源１４０から発生した光の経路を液晶表示パネル３００方向に導く
【００２１】
  導光板２００は、光の損失を最小化するために、透明な材質からなる。例えば、導光板２００は、強度が優れたポリメチルメタクリレート（ＰＭＭＡ）材質からなる。
【００２２】
  これと異なり、導光板２００の薄型化のために、導光板２００は、ポリメチルメタクリレートより強度は劣化するが、耐熱特性に優れたポリカーボネート（ＰＣ）材質で形成することができる。
【００２３】
  導光板２００の下部面には、光の散乱反射のための所定の反射パターン（図示せず）が形成される。例えば、反射パターンは、印刷パターン又は凸凹パターンで構成される。
点光源１４０から導光板２００の内部に入射した光は、反射パターンによって散乱反射され、特定臨界角を越える光は、導光板２００の上部面を通じて液晶表示パネル３００方向に出射される
【００２４】
  
ボトムシャーシ１２０は、
導光板２００の下部をカバーする
【００２５】
  
ボトムシャーシ１２０には、点光源１４０の収納のために、一部が開口された開口部１２２が形成される
【００２６】
  
液晶表示パネル３００は、導光板２００の上部に配置され、導光板２００から出射される光を利用して画像を表示する
【００２７】
  
液晶表示パネル３００は、フレキシブル回路基板１３０が連結される下部基板３１０、下部基板３１０と対向する上部基板３２０、下部基板３１０と上部基板３２０との間に配置された液晶層（図示せず）、及び下部基板３１０に結合された駆動チップ３３０を含む
【００２８】
  駆動チップ３３０は、フレキシブル回路基板１３０を通じて印加される制御信号に応答して液晶表示パネル３００を駆動するための駆動信号を出力する。
【００２９】
  液晶表示パネル３００は、下部基板３１０の外面に付着された第１偏光板３４０及び上部基板３２０の外面に付着された第２偏光板３５０を更に含む。第１偏光板３４０と第２偏光板３５０は、例えば、互いに直交する偏光軸を有する。
【００３０】
  
フレキシブル回路基板１３０は、駆動チップ３３０が実装された下部基板３１０の一方の側に連結され
【００３１】
  図示していないが、フレキシブル回路基板１３０には、上記制御信号の生成及び制御信号の安定化のためのキャパシタ又は抵抗等の素子が形成されている。
【００３２】
  
フレキシブル回路基板１３０は、柔軟性を有するので、液晶表示パネル３００からボトムシャーシ１２０の背面に曲げられた後、ボトムシャーシ１２０の背面に固定される
【００３３】
  
点光源１４０は、フレキシブル回路基板１３０に少なくとも一つ以上が電気的に接続される。点光源１４０は、白色光を発生する発光ダイオード（ＬＥＤ）で構成される。点光源１４０の個数は、液晶表示パネル３００のサイズ及び要求される輝度によって決定される
【００３４】
  点光源１４０は、フレキシブル回路基板１３０の屈曲によってボトムシャーシ１２０の下部から導光板２００の入射面２１０側に配置される。即ち、
点光源１４０は、フレキシブル回路基板１３０が曲げられる際、ボトムシャーシ１２０の開口部１２２を貫通して、導光板２００の入射面２１０と隣接するように配置される
【００３５】
  このように、点光源１４０がフレキシブル回路基板１３０に付着された状態で入射面２１０側に配置される場合、フレキシブル回路基板１３０の反り等によって点光源１４０と導光板２００との間に段差が発生する可能性がある。
【００３６】
  従って、本実施例による
導光板２００は、点光源１４０との段差発生を防止するために、入射面２１０が点光源１４０の発光面と実質的に対応するように、入射面２１０側に行くほど、上部から下部方向に傾斜するように形成された傾斜部２４２を有する
【００３７】
  図３は、図１に示した導光板を具体的に示す斜視図であり、図４は、図３のＩ−Ｉ’に沿って切断した導光板の断面図である。
【００３８】
  図３及び図４を参照すると、導光板２００は、入射面２１０、入射面２１０と向かい合う対向面２２０、入射面２１０の上端から垂直に延長され対向面２２０の上端と連結される出射面２３０、及び入射面２１０の下端から延長され対向面２２０の下端と連結される反射面２４０を含む。
【００３９】
  反射面２４０は傾斜部２４２を含む。傾斜部２４２は、対向面２２０側から入射面２１０側に行くほど、上部から下部方向に所定角度に傾斜するように形成される。傾斜部２４２は、入射面２１０に隣接した反射面２４０領域に形成される。
【００４０】
  反射面２４０は、対向面２２０の下端から出射面２３０と平行に延長され、傾斜部２４２の上端と連結される第１反射部２４４を含む。
【００４１】
  又、反射面２４０は、入射面２１０の下端から出射面２３０と平行に延長され、傾斜部２４２の下端と連結される第２反射部２４６を含む。
【００４２】
  反射面２４０に傾斜部２４２が形成されることにより、出射面２３０と第２反射部２４６間の厚さは、出射面２３０と第１反射部２４４間の厚さより厚くなる。従って、導光板２００の入射面２１０は、対向面２２０より厚い厚さを有する。
【００４３】
  図２を参照すると、
ボトムシャーシ１２０は、点光源１４０及び傾斜部２４２の収納のために、一部が開口された開口部１２２を有する
【００４４】
  フレキシブル回路基板１３０に付着された点光源１４０は、ボトムシャーシ１２０の開口部１２２を通じてモールドフレーム１１０の内部に配置される。又、導光板２００の傾斜部２４２及び第２反射部２４６は、ボトムシャーシ１２０の開口部１２２内に配置されフレキシブル回路基板１３０と隣接する。
【００４５】
  従って、
点光源１４０の発光面は、導光板２００の入射面２１０と実質的に対応し、点光源１４０と導光板２００との間の段差が殆ど発生しない
　
　イ　上記によれば、引用刊行物には、
「導光板２００、ボトムシャーシ１２０、液晶表示パネル３００、フレキシブル回路基板１３０、及び点光源１４０を含む液晶表示装置１００であって、
　導光板２００は、点光源１４０から導光板２００の内部に入射した光を、反射パターンによって散乱反射し、特定臨界角を越える光を、導光板２００の上部面を通じて液晶表示パネル３００方向に出射するものであり、
　ボトムシャーシ１２０は、導光板２００の下部をカバーし、点光源１４０の収納のために、一部が開口された開口部１２２が形成されたものであり、
　液晶表示パネル３００は、導光板２００の上部に配置され、導光板２００から出射される光を利用して画像を表示するものであり、フレキシブル回路基板１３０が連結される下部基板３１０、下部基板３１０と対向する上部基板３２０、下部基板３１０と上部基板３２０との間に配置された液晶層、及び下部基板３１０に結合された駆動チップ３３０を含み、
　フレキシブル回路基板１３０は、駆動チップ３３０が実装された下部基板３１０の一方の側に連結され、液晶表示パネル３００からボトムシャーシ１２０の背面に曲げられた後、ボトムシャーシ１２０の背面に固定されるものであり、
　点光源１４０は、白色光を発生する発光ダイオード（ＬＥＤ）で構成され、フレキシブル回路基板１３０に少なくとも一つ以上が電気的に接続され、その個数は液晶表示パネル３００のサイズ及び要求される輝度によって決定されるものであり、フレキシブル回路基板１３０が曲げられる際、ボトムシャーシ１２０の開口部１２２を貫通して、導光板２００の入射面２１０と隣接するように配置される液晶表示装置１００において、
　導光板２００は、点光源１４０との段差発生を防止するために、入射面２１０が点光源１４０の発光面と実質的に対応するように、入射面２１０側に行くほど、上部から下部方向に傾斜するように形成された傾斜部２４２を有し、
　ボトムシャーシ１２０は、点光源１４０及び傾斜部２４２の収納のために、一部が開口された開口部１２２を有し、
　点光源１４０の発光面は、導光板２００の入射面２１０と実質的に対応し、点光源１４０と導光板２００との間の段差が殆ど発生しない液晶表示装置」の発明（以下「引用発明」という。）が記載されているものと認められる。
　
３　対比
　本願補正発明と引用発明を対比する。
　
（１）引用発明の「液晶表示パネル３００」は、「画像を表示するものであり、フレキシブル回路基板１３０が連結される下部基板３１０」を含むから、本願補正発明の「第１パッドを備え、所定の映像を表示するための液晶表示パネル」に相当するといえる。
　
（２）引用発明の「導光板２００」は、「点光源１４０から導光板２００の内部に入射した光を…導光板２００の上部面を通じて液晶表示パネル３００方向に出射するものであり」、ここで、光の「入射面２１０」が導光板２００の側面であることは明らかであるから、本願補正発明の「自身の側面から供給される光を自身の上側に位置される前記液晶表示パネルに供給するための導光板」に相当するといえる。
　
（３）引用発明の「ボトムシャーシ１２０」は、「導光板２００の下部をカバーし、点光源１４０の収納のために、一部が開口された開口部１２２が形成されたもの」であるから、本願補正発明の「前記導光板が安着し、外側部に少なくとも一つのスリットホールを備えるボトムシャーシ」に相当するといえる。
　
（４）引用発明において、「フレキシブル回路基板１３０は、駆動チップ３３０が実装された下部基板３１０の一方の側に連結され、液晶表示パネル３００からボトムシャーシ１２０の背面に曲げられた後、ボトムシャーシ１２０の背面に固定され」、「点光源１４０は、白色光を発生する発光ダイオード（ＬＥＤ）で構成され、フレキシブル回路基板１３０に少なくとも一つ以上が電気的に接続され、…、フレキシブル回路基板１３０が曲げられる際、ボトムシャーシ１２０の開口部１２２を貫通して、導光板２００の入射面２１０と隣接するように配置される」から、本願補正発明と引用発明は、「前記導光板の背面に位置され、前記第１パッドと接続される第２パッドおよび、前記スリットホールを経由して挿入され、前記導光板に前記光を供給する発光ダイオードを含む可撓性印刷回路基板」を有するものであるといえ、また、引用発明の「フレキシブル回路基板１３０」は、本願補正発明の「可撓性印刷回路基板」と同様に、「前記可撓性印刷回路基板の一端部に位置する前記第２パッドが前記液晶表示パネルの第１パッドに電気的に接続され、前記一端部から前記液晶表示パネル、前記導光板及び前記ボトムシャーシそれぞれの側面を覆って前記ボトムシャーシの背面に付着され」たものといえる。
　
（５）以上によれば、本願補正発明と引用発明は、
「第１パッドを備え、所定の映像を表示するための液晶表示パネルと、
　自身の側面から供給される光を自身の上側に位置される前記液晶表示パネルに供給するための導光板と、
　前記導光板が安着し、外側部に少なくとも一つのスリットホールを備えるボトムシャーシと、
　前記導光板の背面に位置され、前記第１パッドと接続される第２パッドおよび、前記スリットホールを経由して挿入され、前記導光板に前記光を供給する発光ダイオードを含む可撓性印刷回路基板と、
　を有し、
　前記可撓性印刷回路基板は、前記可撓性印刷回路基板の一端部に位置する前記第２パッドが前記液晶表示パネルの第１パッドに電気的に接続され、前記一端部から前記液晶表示パネル、前記導光板及び前記ボトムシャーシそれぞれの側面を覆って前記ボトムシャーシの背面に付着される液晶表示装置」
である点で一致し、次の点で相違するものと認められる。
　
　ア　本願補正発明は、「少なくとも一つ以上の固定部を備え、前記発光ダイオードを基準として前記固定部の下段部および上段部の高さが互いに異なるように設定され、前記固定部は、前記可撓性印刷回路基板に直接的に形成され、前記固定部の下段部は、前記上段部より高い高さで設定され、前記固定部の下段部および上段部の高さは、前記発光ダイオードが前記導光板の厚さ方向中心部に位置されるように設定され」るものであるのに対し、引用発明は、このようなものでない点（以下「相違点１」という。）。
　
　イ　本願補正発明は、「前記スリットホールは、前記導光板と重畳されないように形成され」るものであるのに対し、引用発明は、このようなものでない点（以下「相違点２」という。）。
　
　ウ　本願補正発明は、「前記可撓性印刷回路基板には、少なくとも二以上の固定部が含まれ、前記ボトムシャーシには、前記固定部が挿入されるように少なくとも二以上の前記スリットホールが形成される」ものであるのに対し、引用発明は、このようなものでない点（以下「相違点３」という。）。
　
４　判断
（１）相違点１について
　引用発明は、点光源と導光板との間の段差を除去するために、導光板２００について、入射面２１０側に行くほど、上部から下部方向に傾斜するように形成された傾斜部２４２を有するようにして、点光源１４０の発光面が、導光板２００の入射面２１０と実質的に対応するようにしたものであるが、点光源と導光板との間の段差を除去するには、傾斜部を設けなくとも、点光源１４０の発光面が導光板２００の入射面と対応するように、点光源１４０の発光面が導光板の厚さ方向中心部に位置されるようにしさえすればよいことが当業者には明らかであるから、引用発明における点光源１４０の発光面の位置をそのようなものとすべく固定部を備えるようにして、相違点１に係る本願補正発明の発明特定事項とすることは、当業者が設計上適宜に採用し得る事項にすぎない。
　
（２）相違点２について
　引用発明では、傾斜部２４２を設けていることから、ボトムシャーシの開口部１２２は、その傾斜部２４２を収納する構造となっているが、上記（１）のように、固定部により点光源１４０の発光面の位置を導光板の厚さ方向中心部に位置させる場合には、ボトムシャーシの開口部１２２は傾斜部２４２を収納する必要のないことが明らかであり、相違点２に係る本願補正発明の構成とすることは、上記のように固定部を備える構成とすることに伴って、当業者が当然に採用し得る事項にすぎない。
　
（３）相違点３について
　引用発明において、点光源１４０の個数は、液晶表示パネル３００のサイズ及び要求される輝度によって決定されるから、当然に二つ以上のものも想定されるところである。
　そして、引用発明において、ボトムシャーシの開口部１２２は、傾斜部２４２を収納するために一つの開口とされているものと認められるところ、前記のごとく、固定部を備える構成とした場合には、傾斜部２４２を収納する必要はないから、ボトムシャーシの開口部を点光源毎のものとして相違点３に係る本願補正発明の発明特定事項とすることは当業者が適宜採用し得る事項にすぎない。
　
５　補正却下の決定のむすび
　以上のとおりであるから、本願補正発明は、引用発明に基づいて当業者が容易に発明できたものであって、特許法第２９条第２項の規定により、特許出願の際独立して特許を受けることができない。
　よって、本件補正は、特許法第１７条の２第６項において準用する同法第１２６条第７項の規定に違反するので、同法第１５９条第１項において読み替えて準用する同法第５３条第１項の規定により却下すべきものである。　
　
第３　本願発明について
１　本願の請求項に係る発明
　本件補正は上記のとおり却下されたので、本願の請求項に係る発明は、平成２３年４月５日に補正された特許請求の範囲の請求項１ないし６に記載された事項によって特定されるものであるところ、その請求項１に係る発明（以下「本願発明」という。）は、次のとおりのものである。
　
「【請求項１】
　第１パッドを備え、所定の映像を表示するための液晶表示パネルと、
　自身の側面から供給される光を自身の上側に位置される前記液晶表示パネルに供給するための導光板と、
　前記導光板が安着し、外側部に少なくとも一つのスリットホールを備えるボトムシャーシと、
　前記導光板の背面に位置され、前記第１パッドと接続される第２パッドおよび、前記スリットホールを経由して挿入され、前記導光板に前記光を供給する発光ダイオードを含む少なくとも一つ以上の固定部を備える可撓性印刷回路基板と、
　を有し、前記発光ダイオードを基準として前記固定部の下段部および上段部の高さが互いに異なるように設定され、
　前記可撓性印刷回路基板は、前記可撓性印刷回路基板の一端部に位置する前記第２パッドが前記液晶表示パネルの第１パッドに電気的に接続され、前記一端部から前記液晶表示パネル、前記導光板及び前記ボトムシャーシそれぞれの側面を覆って前記ボトムシャーシの背面に付着され、
　前記固定部は、前記可撓性印刷回路基板に直接的に形成され、前記固定部の下段部は、前記上段部より高い高さで設定され、
　前記固定部の下段部および上段部の高さは、前記発光ダイオードが前記導光板の厚さ方向中心部に位置されるように設定されることを特徴とする液晶表示装置。」
　
２　判断
　本願発明の発明特定事項を全て含み、さらに限定を付したものである本願補正発明が、前記第２［理由］２〜４において検討したように、引用発明に基づいて当業者が容易に発明できたものであることに照らせば、本願発明が引用発明に基づいて当業者が容易に発明できたものであることは、明らかである。
　
３　むすび
　上記のとおり、本願発明は、引用発明に基づいて当業者が容易に発明できたものであるから、特許法第２９条第２項の規定により特許を受けることができない。
　よって、結論のとおり審決する。